(57)【特許請求の範囲】
【請求項１】
第１スイッチング要素によってサービスされる第１エリアと第２スイッチング要素によってサービスされる第２エリアとを含むネットワーク・エリア内での呼配送の方法であって、前記第１エリアおよび前記第２エリアは、Ｌｏｎｇ  Ｔｅｒｍ  Ｅｖｏｌｕｔｉｏｎ（ＬＴＥ）要素によってサービスされ、ユーザ機器は、前記第２エリア内に配置され、前記方法は、
前記第１スイッチング要素で前記ユーザ機器に関する呼を受信するステップと、
前記第１スイッチング要素によって前記ＬＴＥ要素を介して前記ユーザ機器にページ要求を送信するステップと、
前記第１エリアと前記第２エリアとの間の境界上の複数のスイッチング要素に前記第１スイッチング要素によってページ呼出メッセージを送信するステップであって、前記ページ呼出メッセージは、リスン・オンリの状況を示すインジケータ・フィールドを有する、ステップと、
前記第２スイッチング要素で前記ユーザ機器からページ応答を受信するステップと、
前記ページ呼出メッセージに基づいて前記第２スイッチング要素によって前記ページ応答を認識するステップと、
前記ユーザ機器への前記呼を完了するステップと
を含む、方法。
【請求項２】
前記ユーザ機器および前記ＬＴＥ要素の状況を示すトンネル要求肯定応答を前記ＬＴＥ要素によって送信するステップをさらに含む、請求項１に記載の方法。
【請求項３】
前記ユーザー機器がアイドルであり、前記ＬＴＥ要素が過負荷である場合に、前記ＬＴＥ要素によって前記ユーザー機器のページングを抑制するステップをさらに含む、請求項２に記載の方法。
【請求項４】
前記ページ呼出メッセージは、前記ユーザ機器の前記状況がアクティブであるか、前記ＬＴＥ要素の前記状況が過負荷でない場合に、リスン・オンリを示す前記インジケータ・フィールドと共に送信される、請求項２に記載の方法。
【請求項５】
前記ページ呼出メッセージは、前記ユーザ機器の前記状況がアイドルであり、前記ＬＴＥ要素の前記状況が過負荷である場合に、または後続ページを試行している場合に、前記インジケータ・フィールド内の前記リスン・オンリ表示を伴わずに送信される、請求項２に記載の方法。
【請求項６】
第１エリアと第２エリアとを含むネットワーク・エリア内での呼配送のシステムであって、前記第１エリアおよび前記第２エリアは、Ｌｏｎｇ  Ｔｅｒｍ  Ｅｖｏｌｕｔｉｏｎ（ＬＴＥ）要素によってサービスされ、ユーザ機器は、前記第２エリア内に配置され、前記システムは、
前記ユーザ機器に関する呼を受信し、前記ＬＴＥ要素を介して前記ユーザ機器にページ要求を送信し、前記第１エリアと前記第２エリアとの間の境界上の複数のスイッチング要素にページ呼出メッセージを送信するように構成された第１スイッチング要素であって、前記ページ呼出メッセージは、リスン・オンリの状況を示すインジケータ・フィールドを有する、第１スイッチング要素と、
前記ユーザ機器からページ応答を受信し、前記ページ呼出メッセージに基づいて前記ページ応答を認識し、前記ユーザ機器への前記呼を完了するように構成された第２スイッチング要素と
を含む、システム。
【請求項７】
前記ＬＴＥ要素は、前記ユーザ機器および前記ＬＴＥ要素の状況を示すトンネル要求肯定応答を送信する、請求項６に記載のシステム。
【請求項８】
前記ＬＴＥ要素は、前記ユーザー機器がアイドルであり、前記ＬＴＥ要素が過負荷である場合に、前記ユーザー機器のページングを抑制する、請求項７に記載のシステム。
【請求項９】
前記ページ呼出メッセージは、前記ユーザ機器の前記状況がアクティブであるか、前記ＬＴＥ要素の前記状況が過負荷でない場合に、リスン・オンリ状況を示す前記インジケータ・フィールドと共に送信されるのみである、請求項７に記載のシステム。
【請求項１０】
前記第１スイッチング要素は、前記ユーザ機器の前記状況がアイドルであり、前記ＬＴＥ要素の前記状況が過負荷である場合に、または後続ページを試行している場合に、前記インジケータ・フィールド内の前記リスン・オンリ表示を伴わずに前記ページ呼出メッセージを送信する、請求項７に記載のシステム。
【発明の詳細な説明】
【技術分野】
【０００１】
本発明は、回線交換フォールバック（ｃｉｒｃｕｉｔ  ｓｗｉｔｃｈｅｄ  ｆａｌｌ  ｂａｃｋ）（ＣＳＦＢ）呼配送でのＬＴＥ−ｔｏ−１ＸＲＴＴ（Ｌｏｎｇ  Ｔｅｒｍ  Ｅｖｏｌｕｔｉｏｎ  ｔｏ  １ｓｔ  Ｇｅｎｅｒａｔｉｏｎ  Ｒａｄｉｏ  Ｔｒａｎｓｍｉｓｓｉｏｎ  Ｔｅｃｈｎｏｌｏｇｙ）境界セル・クロス・ページングの方法および装置に関する。
【背景技術】
【０００２】
ネットワークでの呼配送は、環境の関数としてさまざまな形で達成される。一例では、Ｔｅｃｈｎｉｃａｌ  Ｓｐｅｃｉｆｉｃａｔｉｏｎｓ（ＴＳ）２３．２７２は、ＬＴＥ−ｔｏ−１ＸＲＴＴ  回線交換フォールバック（ＣＳＦＢ）呼出配送およびＬＴＥ−ｔｏ−ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）／ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）ＣＳＦＢをサポートするステップを指定している。回線音声ページ応答（ｃｉｒｃｕｉｔ  ｖｏｉｃｅ  ｐａｇｅ  ｒｅｓｐｏｎｓｅ）を受信する（ＵＭＴＳ／ＧＳＭ）ＭＳＣ（Ｍｏｂｉｌｅ  Ｓｗｉｔｃｈｉｎｇ  Ｃｅｎｔｅｒ）が、ページ要求をＵＥ（ユーザ機器）に送信するＭＳＣとは異なる場合には、後者は、「Ｒｏａｍｉｎｇ  ｒｅｔｒｙ  ｆｏｒ  ＣＳＦＢ」を呼び出す。
【０００３】
ＬＴＥ−ｔｏ−ＵＭＴＳ／ＧＳＭ  ＣＳＦＢでは、ＩＳＲ（アイドルモードシグナリングリダクション）（Ｉｄｌｅ  ｍｏｄｅ  Ｓｉｇｎａｌｉｎｇ  Ｒｅｄｕｃｔｉｏｎ）が、ＭＳＣとアンダーレイＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ）との間でイネーブルされる場合に、クロス・ページングは、ＵＥがアイドル状態である場合に実行される、すなわち、ＬＴＥとＳＧＳＮとの両方が、ＵＥをページングする。
【先行技術文献】
【非特許文献】
【０００４】
【非特許文献１】Ｔｅｃｈｎｉｃａｌ  Ｓｐｅｃｉｆｉｃａｔｉｏｎｓ（ＴＳ）２３．２７２
【非特許文献２】３ＧＰＰ  Ｔｅｃｈｎｉｃａｌ  Ｓｐｅｃｉｆｉｃａｔｉｏｎ（ＴＳ）３６．４１３
【非特許文献３】ＴＳ  ３６．３３１
【発明の概要】
【発明が解決しようとする課題】
【０００５】
「Ｒｏａｍｉｎｇ  ｒｅｔｒｙ  ｆｏｒ  ＣＳＦＢ」は、２つの問題を有する。第１に、これは、ページングを「新しい」ＭＳＣによって再試行できるようになる前に、多数の更新を実行しなければならないので、音声呼配送を遅延させる。第２に、その遅延のゆえに、発呼者がハング・アップするか、音声インコール（ｉｎｃａｌｌ）が「二次処理」を得る（たとえば、留守番電話機にルーティングされる）かのいずれかになる可能性があり、これが、呼配送成功率を下げる。
【０００６】
アイドルモードシグナリングリダクション（ＩＳＲ）は、ＬＴＥとＳＧＳＮとの両方を含むクロス・ページングに起因して過度なページングを引き起こす。
【課題を解決するための手段】
【０００７】
したがって、回線交換フォールバック（ＣＳＦＢ）呼配送でのＬＴＥ−ｔｏ−１ＸＲＴＴ境界セル・クロス・ページングを減らす方法および装置を提供する。
【０００８】
一実施形態では、方法は、第１スイッチング要素でユーザ機器に関する呼を受信するステップと、第１スイッチング要素によってＬＴＥ要素を介してユーザ機器にページ要求を送信するステップと、第１エリアと第２エリアとの間の境界上の複数のスイッチング要素に第１スイッチング要素によってページ呼出メッセージを送信するステップであって、ページ呼出メッセージは、リスン・オンリ（ｌｉｓｔｅｎ  ｏｎｌｙ）の状況を示すインジケータ・フィールドを有するステップと、第２スイッチング要素でユーザ機器からページ応答を受信するステップと、ページ呼出メッセージに基づいて第２スイッチング要素によってページ応答を認識するステップと、ユーザ機器への呼を完了するステップとを含む。
【０００９】
もう１つの実施形態では、第１スイッチング要素は、アンカ・スイッチング要素である。
【００１０】
もう１つの実施形態では、第２スイッチング要素は、境界スイッチング要素である。
【００１１】
もう１つの実施形態では、ページング要求は、１ｘＲＴＴ  ＣＳページ要求である。
【００１２】
もう１つの実施形態では、ページ呼出メッセージは、ＩＳＰＡＧＥ２  Ｉｎｖｏｋｅメッセージである。
【００１３】
もう１つの実施形態では、インジケータ・フィールドは、ＰＡＧＥ  Ｉｎｄｉｃａｔｏｒフィールドである。
【００１４】
もう１つの実施形態では、ページ応答は、１ｘＲＴＴ  ＣＳページ応答である。
【００１５】
もう１つの実施形態では、この方法は、ユーザ機器およびＬＴＥ要素の状況を示すトンネル要求肯定応答をＬＴＥ要素によって送信するステップをさらに含む。
【００１６】
もう１つの実施形態では、この方法は、ユーザ機器およびＬＴＥ要素の状況を示すトンネル要求肯定応答を受信するステップを含む。
【００１７】
もう１つの実施形態では、この方法は、ＵＥがアイドルであり、ＬＴＥ要素が過負荷である場合に、ＬＴＥ要素によってＵＥのページングを抑制するステップをさらに含む。
【００１８】
もう１つの実施形態では、ページ呼出メッセージは、ユーザ機器の状況がアクティブであるか、ＬＴＥ要素の状況が過負荷でない場合に、リスン・オンリを示すインジケータ・フィールドと共に送信される。
【００１９】
もう１つの実施形態では、ページ呼出メッセージは、ユーザ機器の状況がアイドルであり、ＬＴＥ要素の状況が過負荷である場合に、または後続ページを試行している場合に、インジケータ・フィールド内のリスン・オンリ表示を伴わずに送信される。
【００２０】
もう１つの実施形態では、システムは、ユーザ機器に関する呼を受信し、ＬＴＥ要素を介してユーザ機器にページ要求を送信し、第１エリアと第２エリアとの間の境界上の複数のスイッチング要素にページ呼出メッセージを送信する第１スイッチング要素であって、ページ呼出メッセージは、リスン・オンリの状況を示すインジケータ・フィールドを有する、第１スイッチング要素と、ユーザ機器からページ応答を受信し、ページ呼出メッセージに基づいてページ応答を認識し、ユーザ機器への呼を完了する第２スイッチング要素とを含む。
【００２１】
もう１つの実施形態では、第１スイッチング要素は、アンカ・スイッチング要素である。
【００２２】
もう１つの実施形態では、第２スイッチング要素は、境界スイッチング要素である。
【００２３】
もう１つの実施形態では、ページング要求は、１ｘＲＴＴ  ＣＳページ要求である。
【００２４】
もう１つの実施形態では、ページ呼出メッセージは、ＩＳＰＡＧＥ２  Ｉｎｖｏｋｅメッセージである。
【００２５】
もう１つの実施形態では、インジケータ・フィールドは、ＰＡＧＥ  Ｉｎｄｉｃａｔｏｒフィールドである。
【００２６】
もう１つの実施形態では、ページ応答は、１ｘＲＴＴ  ＣＳページ応答である。
【００２７】
もう１つの実施形態では、ＬＴＥ要素は、ユーザ機器およびＬＴＥ要素の状況を示すトンネル要求肯定応答を送信する。
【００２８】
もう１つの実施形態では、第１スイッチング要素は、ユーザ機器およびＬＴＥ要素の状況を示すトンネル要求肯定応答を受信するように動作可能である。
【００２９】
もう１つの実施形態では、ＬＴＥ要素は、ＵＥがアイドルであり、ＬＴＥ要素が過負荷である場合に、ＵＥのページングを抑制する。
【００３０】
もう１つの実施形態では、ページ呼出メッセージは、ユーザ機器の状況がアクティブであるか、ＬＴＥ要素の状況が過負荷でない場合に、リスン・オンリ状況を示すインジケータ・フィールドと共に送信されるのみである。
【００３１】
もう１つの実施形態では、第１スイッチング要素は、ユーザ機器の状況がアイドルであり、ＬＴＥ要素の状況が過負荷である場合に、または後続ページを試行している場合に、インジケータ・フィールド内のリスン・オンリ表示を伴わずにページ呼出メッセージを送信する。
【００３２】
本発明の適用可能性のさらなる範囲は、下で提供される詳細な説明から明白になる。しかし、本発明の趣旨および範囲に含まれるさまざまな変形形態および修正形態が当業者に明白になるので、詳細な説明および特定の例が、本発明の好ましい実施形態を示すが、例としてのみ与えられることを理解されたい。
【００３３】
本発明は、デバイスのさまざまな部分、ネットワーク要素、および方法のステップの構成、配置、および組合に存在し、これによって、企図された目的が、本明細書の後でより十分に示され、特許請求の範囲で具体的に指摘され、添付図面に示されているように達成される。
【図面の簡単な説明】
【００３４】
【図１】本発明を適用できる代表的なネットワークを示す図である。
【図２】図１のシステムに類似するシステムのコール・フロー図を示す図である。
【図３】図１のシステムに類似するシステムの動作を示すブロック図である。
【図４】境界セル・ページング（Ｂｏｒｄｅｒ  Ｃｅｌｌ  Ｐａｇｉｎｇ）を使用するシステムのコール・フロー図を示す図である。
【図５】本発明のもう１つの実施形態を実施するシステムのコール・フロー図を示す図である。
【図６】図５のシステムに類似するシステムの動作を示すブロック図である。
【図７】本発明を適用できる代表的なネットワークを示す図である。
【図８】本発明のもう１つの実施形態を実施するシステムのコール・フロー図を示す図である。
【発明を実施するための形態】
【００３５】
図１に、複数の１ｘＲＴＴ  ＭＳＣにまたがるＬＴＥのトラッキング・エリア（Ｔｒａｃｋｉｎｇ  Ａｒｅａ）（ＴＡ）１０２を含むネットワーク・エリア１００を示す。ＭＳＣ１は、複数のセル１０４を含む。ＭＳＣ２は、複数のセル１０６を含む。ＬＴＥ  ｅＮＢ要素に対応する複数のセル１０８も、トラッキング・エリア１０２内に設けられる。
【００３６】
図示されているように、位置１では、１ｘＲＴＴのみのエリア内のデュアルモードＵＥ  １１０は、１ＸＲＴＴ  ＭＳＣ１に登録する。これに関して、ＵＥ  １１０が、ＬＴＥと１ｘＲＴＴとの両方に対応することを理解されたい。音声インコールが到着する場合に、その呼は、ＭＳＣ１すなわち、この時点の「アンカＭＳＣ」に配送される。
【００３７】
位置２では、ＵＥ  １１０は、モビリティ経路１１２に沿ってＬＴＥカバレージ・エリアまたはトラッキング・エリア１０２に移動し終え、ＬＴＥ要素を再選択し、ＬＴＥ要素に登録する。ＵＥ  １１０は、たとえば、ユーザがＬＴＥパケット・データを使用することを望むので、ＬＴＥを選択する。
【００３８】
位置３では、ＵＥ  １１０は、モビリティ経路１１２に沿ってＭＳＣ１からＭＳＣに移動し終え、ＭＳＣ２に登録する。この時点では、音声インコールが到着する場合に、その呼は、ＭＳＣ２すなわち現在の「アンカＭＳＣ」に配送される。ＵＥの１ｘＲＴＴ側は、ＭＳＣ１に関連するＺｏｎｅＴｉｍｅｒを維持する。ＺｏｎｅＴｉｍｅｒは、ｅＮＢ（Ｅｎｈａｎｃｅｄ  Ｎｏｄｅ  Ｂ）によってＵＥ  １１０に送信されるＳＩＢ−８ブロードキャスト情報内にある。
【００３９】
位置４では、ＺｏｎｅＴｉｍｅｒの満了の前に、ＵＥ  １１０が、ＭＳＣ２からＭＳＣ１に戻って移動する。しかし、ＵＥ  １１０は、ＭＳＣ１に即座には登録しない（ここでのＺｏｎｅＴｉｍｅｒの使用は、ＵＥ  ｐｉｎｇ−ｐｏｎｇ問題に対処するためである）。したがって、ＭＳＣ２は、ＺｏｎｅＴｉｍｅｒの満了の前には「アンカＭＳＣ」として残る。したがって、音声インコールが到着する場合に、その呼は、まだこの時点での「アンカＭＳＣ」であるＭＳＣ２に配送される。ＵＥ  １１０が、ＭＳＣ１エリア（ＭＳＣ１の「境界セル」）内でＬＴＥトンネリングされたページを受信する時に、ＵＥ  １１０は、ＣＳＦＢ論理の一部としてＭＳＣ１セルに１ｘＲＴＴページ応答を送信する。このページ応答は、境界ＭＳＣ１の観点からは「非請求」である。その結果、ＭＳＣ１は、そのページ応答をどのアンカＭＳＣに転送すべきかを知らないので、「非請求ページ応答」を無視する。したがって、ＣＳＦＢ呼配送は、このシナリオでは失敗する。
【００４０】
図２に、モビリティ経路１１２に沿って位置４まで移動し終えたＵＥ  １１０のＣＳＦＢ呼配送の失敗シナリオの対応するコール・フローを示す。これに関して、１ａでは、ＣＳ  Ｉｎｃａｌｌ要求の到着に応答して、アンカＭＳＣ２は、そのメッセージが現在はＬＴＥによってサービスされるＵＥに関すると判定し、したがって、（トンネリングされた）１ｘＲＴＴ  ＣＳ  Ｐａｇｅ要求メッセージを、ＬＴＥと相互に作用するＩｎｔｅｒＷｏｒｋｉｎｇ  Ｓｙｓｔｅｍ（ＩＷＳ）に送信する。ＩＷＳは、そのメッセージをＭｏｂｉｌｉｔｙ  Ｍａｎａｇｅｍｅｎｔ  Ｅｎｔｉｔｙ（ＭＭＥ）に渡す。２ａでは、ＵＥが、ＭＭＥによる判定でアイドルである場合に、ＭＭＥは、３ＧＰＰ  Ｔｅｃｈｎｉｃａｌ  Ｓｐｅｃｉｆｉｃａｔｉｏｎ（ＴＳ）３６．４１３およびＴＳ  ３６．３３１に従って、ネットワークによって開始されるサービス要求を実行する。ＵＥとｅＮＢとの間のＲＲＣ接続が、成功のＭＭＥページングの結果として提示される。３ａでは、ＭＭＥは、１ｘＲＴＴ  ＣＳ  ＰａｇｅをｅＮＢを介してＵＥにトンネリングする。３ｃでは、ＵＥは、３ａに応答して、それを包含する１ｘＲＴＴセルに１ｘＲＴＴ  ＣＳページ応答メッセージを送信する。４ａでは、ＭＭＥがＣＳＦＢを示すので、ｅＮＢは、ＵＥとのＲＲＣ接続を解放し、これは、ＵＥをＣＳＦＢのために１ｘＲＴＴにリダイレクトする。４ｃでは、１ｘＲＴＴセルが、１ｘＲＴＴ上で、それが属するＭＳＣにＰａｇｅ  Ｒｅｓｐｏｎｓｅメッセージを渡す。５ａでは、ｅＮＢは、ＵＥとのＬＴＥ無線接続が開放されたことをＭＭＥに知らせ、その結果としてＵＥコンテキストを解放するようにＭＭＥに要求する。６ａでは、ＭＭＥが、ＵＥに関連するベアラ（１つまたは複数）の一時停止を要求するメッセージをＳｅｒｖｉｎｇ  ＧａｔｅＷａｙ（ＳＧＷ）に送信する。７ａでは、ＳＧＷが、肯定応答をＭＭＥに送り返す。非請求ページ応答が境界ＭＳＣで受信されるステップ３ｃおよびステップ４ｃに留意されたい。図示されているように、この呼は失敗する。
【００４１】
図３に、ネットワーク３００と上で注記した呼失敗とを示し、図３は、さまざまなネットワーク要素（たとえば、ＭＭＥ（Ｍｏｂｉｌｉｔｙ  Ｍａｎａｇｅｍｅｎｔ  Ｅｎｔｉｔｙ）、ｅＮＢ（Ｅｎｈａｎｃｅｄ  Ｎｏｄｅ  Ｂ））ならびに図２のステップ３ａで使用されるＬＴＥトンネルをも識別する。これに関して、従来のＬＴＥ−１ｘ  回線交換フォールバックでは、アンカ／訪問するＭＳＣ  ３０２（インコールの受信時）が、Ｓ１０２、Ｓ１、およびＵＥ  ３０４へのＬＴＥ  ＲＲＣトンネリングを介して１ｘページを送信する。ページの経路は、ＭＭＥ  ３０６およびｅＮＢ  ３０８によっても定義される。その後、ＵＥ  ３０４は、基地局３１２を介して、１ｘエア・インターフェース３１０上で１ｘページ応答をネイティブに送信する。ある境界条件では、ＣＳＦＢ  ＵＥが、図２で説明したようにトンネリングされたページを送信したＭＳＣ  ３０２とは異なるＭＳＣ（たとえば、ＭＳＣ  ３２０）によって受信されるページ応答を送信することが可能である。
【００４２】
このシナリオは、被呼当事者への完了ではなく、呼受信デフォルト処理（音声メール）をもたらす。３ＧＰＰ  ＣＳＦＢ標準規格は、Ｓ１０２、Ｓ１、およびＲＲＣ（Ｒａｄｉｏ  Ｒｅｓｏｕｒｃｅ  Ｃｏｎｔｒｏｌ）トンネルを介して送信される１ｘページだけを伴うコール・フローを記述している。３ＧＰＰ  ＣＳＦＢ標準規格は、ＣＳＦＢに関連して境界ＭＳＣに通知することまたは３ＧＰＰ２  境界セル・ページングの使用を企図していない。
【００４３】
呼失敗の問題に対処する本発明の一実施形態は、図４に示されているように、１ｘＲＴＴ  境界セル・ページング（ＢＣＰ）機能を使用することである。図４では、図２のステップと同様のラベルを付けられたステップは、実質的に同一であり、説明を簡単にするためにもう一度説明することはしない。しかし、追加のステップは説明する。たとえば、１ｃでは、アンカＭＳＣが、このアンカＭＳＣのためにプロビジョニングされた境界ＭＳＣ（１つまたは複数）にＩＳＰＡＧＥ２  Ｉｎｖｏｋｅメッセージ（１つまたは複数）を送信する。２ｃでは、境界ＭＳＣが、ＭＳＣＮ関連する１ｘＲＴＴセルに１ｘＲＴＴ  Ｐａｇｅメッセージを送信する。境界ＭＳＣの場合に、１ｘＲＴＴページ・メッセージは、境界ＭＳＣによるＩＳＰＡＧＥ２  Ｉｎｖｏｋｅメッセージの受信によってトリガされる。５ｃでは、境界ＭＳＣが、１ｘＲＴＴ  Ｐａｇｅ応答メッセージの受信（４ｃ）に応答してＩＳＰＡＧＥ２  ＲｅｓｕｌｔメッセージをアンカＭＳＣに戻って送信する。
【００４４】
さらに説明すると、１ｘＲＴＴ  ＭＳＣおよび基地局は、境界セル・ページング（ＢＣＰ）機能をサポートし、この機能では、アンカＭＳＣが、（標準規格ベースの）ＩＳ−ＰＡＧＥ２メッセージを介してモバイルをページングするように境界ＭＳＣに要求する。したがって、各境界ＭＳＣは、アンカＭＳＣの代わりにモバイルをページングする。この実施形態では、いずれかの境界ＭＳＣがページ応答を受信する場合に、その境界ＭＳＣは、そのページ応答をアンカＭＳＣに転送する。アンカＭＳＣ、境界ＭＳＣ、およびページ応答を受信する境界セルは、その後、音声インコールを配送するためにＭＳＣ間ＳＨＯ（ソフト・ハンドオフ）を使用してＭＳＣ間の形で呼をセット・アップする。
【００４５】
図４に、この問題を解決するクロス・ページングを使用する対応するコール・フローを示す。アンカＭＳＣは、１ｘＣＳ  ＩＷＳ（ＩｎｔｅｒＷｏｒｋｉｎｇ  Ｓｙｓｔｅｍ）およびＭＭＥにページ・メッセージを送信することに加えて、境界ＭＳＣにＩＳＰＡＧＥ２  Ｉｎｖｏｋｅを送信することによってＢＣＰを使用する。この図では、境界ＭＳＣとアンカＭＳＣとの両方が、ＵＥをページングする（ステップ２ｃ）が、そのようなページ・メッセージのうちの１つだけが、ＵＥによって応答される（図ではより太い線によって図示）。現在説明されている実施形態の技法は、ＵＥがアクティブ・モード（接続モードとしても知られる）またはアイドル・モードのいずれかである時に呼び出される。これらの技法は、ＣＳＦＢ呼配送成功率を最大にし、呼配送セット・アップ時間を最小にする。
【００４６】
本発明のもう１つの実施形態は、呼配送のためにＵＥをクロスＲＡＴページングするための、最初のページ試行におけるＩＳＰＡＧＥ２  Ｉｎｖｏｋｅでの「リスン・オンリ」モードの呼出である。この実施形態は、ＬＴＥ側もＵＥをページングする時にＵＥへの１ｘＲＴＴ境界セルによるページ・メッセージの実際の送信を抑制する。その結果、不必要なクロス・ページング・オーバーヘッドが除去される。
【００４７】
この実施形態は、ＣＳＦＢ呼配送失敗問題に対処するのにＢＣＰを使用し、ＬＴＥ側もＵＥをページングする時の境界ＭＳＣでのページング・リソース浪費をも回避する。境界ＭＳＣでの不必要なページングを除去するために、アンカＭＳＣなどのアンカ・スイッチング要素は、ＩＳＰＡＧＥ２  Ｉｎｖｏｋｅメッセージ内でＰａｇｅＩｎｄ＝’Ｌｉｓｔｅｎ  ｏｎｌｙ’を指定し、その結果、境界ＭＳＣは、そのセル（別のＭＳＣの展望からは境界セルである）へのページ・メッセージの送信を抑制するようになる。これは、ＵＥがＬＴＥ側によってページングされつつある時のページ・リソースの浪費を回避し、１ｘＲＴＴセルがそのＵＥを実際にページングすることなしに１ｘＲＴＴセルに非請求ページ応答メッセージを送信する。
【００４８】
図５に、現在説明されている実施形態を組み込むことができるシステムのコール・フローを提供する。図２、４、および５の同様の番号を付けられたステップが、お互いに対応することを了解されたい。したがって、説明を簡単にするために、同様の番号を付けられたステップをもう一度説明することはしない。しかし、境界ＭＳＣが、セルへのページ・メッセージの送信を抑制し（「リスン・オンリ」インジケータがＩＳＰＡＧＥ２  Ｉｎｖｏｋｅメッセージ内に存在する時に）、したがって、ページング・リソース浪費を回避することに留意されたい。図５のステップ３ｃ／４ｃに示されているように、境界ＭＳＣが、非請求ページ応答を受信する場合に、境界ＭＳＣは、前にステップ１ｃ１で受信したＩＳＰＡＧＥ２  Ｉｎｖｏｋｅメッセージの結果として、ページ応答メッセージをどこに転送すべきかを知っている。最終的な結果は、追加の遅延を伴わず、不必要なページング・オーバヘッドを伴わない成功のＣＳＦＢ呼配送セット・アップである。
【００４９】
ここで図６を参照すると、ＣＳＦＢ手順が３ＧＰＰ２  ＩＳＰＡＧＥ２  Ｉｎｖｏｋｅ手順および境界セル・ページング手順と組み合わされる、ネットワーク６００の一部が示されている。１ｘページがＳ１０２を介して送信されるのと同時にまたはその直前に、「ｌｉｓｔｅｎ  ｏｎｌｙ」のＰａｇｅＩｎｄｉｃａｔｏｒを伴うＩＳＰＡＧＥ２  Ｉｎｖｏｋｅメッセージが、境界ＭＳＣに送信される。ページ応答が境界ＭＳＣに到着する時に、呼は、既存のＩＳＰＡＧＥ２と、適宜、ソフト・ハンドオフ手順またはハード・ハンドオフ手順のいずれかに従って完了する。
【００５０】
図６に示されているように、インコールは、ＣＳＦＢ  ＵＥとして事前に登録済みのＵＥ  ６０４のアンカ／訪問するＭＳＣとして働いているＭＳＣ  ６０２に到着する。
【００５１】
ＩＳＰＡＧＥ２  Ｉｎｖｏｋｅメッセージは、「ｌｉｓｔｅｎ  ｏｎｌｙ」のＰａｇｅＩｎｄｉｃａｔｏｒと共に境界ＭＳＣ（境界ＭＳＣ  ６２０など）に送信される。ページは、ＬＴＥシグナリングを介して、ＭＭＥ  ６０６およびｅＮＢ  ６０８を介してＵＥ  ６０４にトンネリングされる。ＵＥ  ６０４は、１ｘエア・インターフェース６１０上で基地局６１２を介して境界ＭＳＣ  ６２０にページ応答を送信する。呼は、既存の１ｘ手順に従って完了する。
【００５２】
本発明のもう１つの実施形態は、ＬＴＥネットワークが過負荷である時であってもクロス・ページングでの成功の呼配送レートを保証するために、境界ＭＳＣなどの境界スイッチング要素での実際のページングを伴うまたはこれを伴わないＩＳＰＡＧＥ２の正しい形の動的呼出である。例を図７に示すが、図７では、アイドル・モードのＵＥ  ７１０が、ＴＡカバレージ・エリア内にある（「１」のラベルを付けられたＵＥを参照されたい）か、あるヒステリシス遅延に起因する１ｘＲＴＴ再登録を伴わない１ｘＲＴＴのみのカバレージ・エリア（「２−ｘ」および「２−ｙ」というラベルを付けられた経路７１２から外れた位置を参照されたい）に移動する（少なくとも部分的にモビリティ経路７１２に沿って）かのいずれかである。完全さのために、ネットワーク・エリア７００は、ＬＴＥ  ｅＮＢ要素に対応する複数のセル７０８を有するトラッキング・エリア７０２を含む。さらに、ＭＳＣ１は、複数のセル７０４を含み、ＭＳＣ２は、複数のセル７０６を含む。
【００５３】
図７に示された状況では、図５に示されているように（ステップ１ａ）、（トンネリングされた）１ｘＲＴＴページが到着する時に、ステップ２ａでのＭＭＥによるページ（「ネットワークによって開始されたサービス要求」）試行は、ＬＴＥ（ｅＮＢ）が前者のケースで過負荷である場合に失敗する可能性があり、ＵＥが後者のケースでたまたまＴＡの外にある場合に失敗する。その結果、ＵＥは、ステップ３ｃを実行せず、したがって、ＩＳＰＡＧＥ２試行（図５のステップ１ｃ１）は、タイムアウトの後に失敗する。アンカＭＳＣは、第２のページ試行を試み、その間に、ＭＭＥは（図５のステップ２ａで）、ＵＥに到達する試行で、最後に見られたＴＡだけではなく、最後に見られたＴＡの隣接ＴＡをも含めることができる。しかし、ｅＮＢが既に過負荷である場合には、第２のページ試行でのページング・エリアの増加は、過負荷状況をさらに悪化させるはずである。ｅＮＢが過負荷になる境界にある場合には、第２のページ試行が、ｅＮＢを過負荷にするトリガになる可能性がある。
【００５４】
ここで図８を参照すると、図７および図５を参照して説明した問題のある状況は、ＵＥ状況およびＬＴＥ過負荷状況についてアンカＭＳＣに知らせるために新しいステップ１ｂ（図８の）を追加することによって対処される。図２、４、５、および８の同様の番号を付けられたステップが、お互いに対応することを了解されたい。したがって、説明を簡単にするために、同様の番号を付けられたステップをもう一度説明することはしない。しかし、図８の実施形態による変形形態を、完全さのために説明する。したがって、１ａでは、（トンネリングされた）１ｘＲＴＴ  ＣＳ  Ｐａｇｅ要求が、ＭＭＥに送信される。１ｂでは、ＭＭＥがＴｕｎｎｅｌ  Ｒｅｑｕｅｓｔ  Ａｃｋｎｏｗｌｅｄｇｅｍｅｎｔメッセージを応答する。トンネル要求肯定応答は、ＵＥに配送するためにＭＳＣによってＭＭＥに送信されたすべての１ｘメッセージに応答してＭＭＥによって送信される。したがって、このトンネル要求肯定応答を使用して、着信１ｘ音声呼のページングに加えて、他のシナリオを助けることができる。それでも、Ｔｕｎｎｅｌ  Ｒｅｑｕｅｓｔ  Ａｃｋｎｏｗｌｅｄｇｅｍｅｎｔメッセージは、この形で、ＵＥ状況およびＬＴＥ負荷状況を示す。ＵＥ状況（アイドルまたはアクティブ）は、ＭＭＥに既知であり、ＬＴＥ負荷状況は、ＭＭＥによって推定するか、他の適切な技法によって入手することができる。アンカＭＳＣは、ＵＥがアクティブである場合またはＵＥがアイドルであり、ＬＴＥに過負荷がない場合には、図５と同様にステップ１ｃ１を実行する。
【００５５】
１ａでのメッセージの受信時に、ＵＥがアイドルでありＬＴＥが過負荷である場合に、１ｂが可能なＭＭＥなどのＬＴＥ要素が、ＵＥをページングしない（たとえば、ページングを抑制する）ことに留意されたい。
【００５６】
ＵＥがアイドルであり、ＬＴＥが過負荷である場合には、アンカＭＳＣは、その代わりに図８のステップ１ｃ２を実行して、それでも第１ページ成功率および呼配送セット・アップ時間を保証しながら、ＬＴＥ過負荷／輻輳を軽減する。図８のステップ１ｃ２は、図４のステップ１ｃと同等である。同様に、アンカＭＳＣが、第１ページ試行のために図５に示されているようにステップ１ｃ１を実行したが、１ｘＲＴＴページ応答が受信され、第２ページ試行が必要になった場合には、アンカＭＳＣは、やはり、第２ページ試行のために図８のステップ１ｃ２および任意の他の後続のページ試行（望まれる場合に）を実行する。
【００５７】
したがって、この実施形態は、図８に示されているように、ＬＴＥネットワークが過負荷である時であってもクロス・ページングでの成功の呼配送レートを保証するために、境界ＭＳＣでの実際のページングを伴うまたはこれを伴わないＩＳＰＡＧＥ２の正しい形の動的呼出を提供する。
【００５８】
本明細書の説明および図面は、本発明を説明するためにネットワーク要素の例およびシナリオを使用する。たとえば、ＭＳＣが、スイッチング要素の例として使用される。他のネットワーク要素の特定の例も、示される。しかし、これらの例が、限定的であってはならないことを了解されたい。他の適切なネットワーク要素を、その代わりに、本発明を実施するのに使用することができる。さらに、ＵＥは、さまざまな既知の形をとることができる。
【００５９】
さらに、本発明を、さまざまなハードウェア構成およびソフトウェア・ルーチンを使用して実施することができる。これに関して、ブロック図、コール・フロー図、および類似物が、さまざまなプロセスを表し、これらのプロセスを、コンピュータ可読媒体内で実質的に表すことができ、それを実行するように構成されまたはそのように動作可能なコンピュータまたはプロセッサ（明示的に図示されるか否かにかかわりなく）によって実行できることを了解されたい。たとえば、ルーチンを、本明細書で説明されるメッセージを送信するために、アンカＭＳＣなどのスイッチング要素のプロセッサによって実行することができる。同様に、ルーチンを、メッセージを受信し、認識し、それ相応に作用するために、境界ＭＳＣなどの別のスイッチング要素のプロセッサによって実行することができる。
【００６０】
上の説明は、単に、本発明の特定の実施形態の開示を提供し、本発明をそれに限定するためのものであることは意図されていない。したがって、本発明は、上で説明された実施形態だけに限定されるのではない。そうではなく、当業者が本発明の範囲に含まれる代替実施形態を思い付くことができることを認められたい。
【図１】
0005466301.tif 000002
【図２】
0005466301.tif 000003
【図３】
0005466301.tif 000004
【図４】
0005466301.tif 000005
【図５】
0005466301.tif 000006
【図６】
0005466301.tif 000007
【図７】
0005466301.tif 000008
【図８】
0005466301.tif 000009